(57)【要約】【課題】  粘着剤を用いた飛翔性昆虫捕獲具であって、使用に際して、飛翔性昆虫の捕獲性に優れ、また手に粘着剤が付着する心配のない飛翔性昆虫捕獲具の提供。【課題の解決手段】  底面と２面以上の側壁面から構成され、その内部に粘着シート面を備える飛翔性昆虫捕獲具において、前記側壁面の少なくとも１面に開口部を設けるとともに、この側壁面に対向して前記粘着シート面を他の側壁面に付設するか、もしくは底面から垂直状に立設してなり、かつ側壁面表側における前記開口部の周辺部の色が標準光源のC光源を用いて視野角１０°で測定するとき、Ｌ*ａ*ｂ*表色系色差のＣＩＥ１９７６明度Ｌ*として７０以下である飛翔性昆虫捕獲具。【選択図】図３
2005245279.tif 000002
【特許請求の範囲】
【請求項１】
底面と２面以上の側壁面から構成され、その内部に粘着シート面を備える飛翔性昆虫捕獲具において、前記側壁面の少なくとも１面に開口部を設けるとともに、この側壁面に対向して前記粘着シート面を他の側壁面に付設するか、もしくは底面から垂直状に立設してなり、かつ側壁面表側における前記開口部の周辺部の色が標準光源のC光源を用いて視野角１０°で測定するとき、Ｌ*ａ*ｂ*表色系色差のＣＩＥ１９７６明度Ｌ*として７０以下であることを特徴とする飛翔性昆虫捕獲具。
【請求項２】
粘着シート面が付設された側壁面が、底面と６０度ないし１００度の角度を有して形成されていることを特徴とする請求項１に記載の飛翔性昆虫捕獲具。
【請求項３】
底面と３面の側壁面と上面から構成される縦置き略三角柱状の捕獲具であって、３側壁面のうちの１面又は２面に開口部が設けられており、残余の１側壁面に粘着シート面を付設するとともに、この粘着シート面と開口部を有する側壁面との角度を７５度以内に形成したことを特徴とする請求項１又は２に記載の飛翔性昆虫捕獲具。
【請求項４】
底面と２面又は４面の側壁面から構成される横置き略三角柱状の捕獲具であって、２側壁面のうちの１面に開口部が設けられており、残余の１側壁面に粘着シート面を付設するとともに、この粘着シート面と開口部を有する側壁面との角度を７５度以内に形成したことを特徴とする請求項１又は２に記載の飛翔性昆虫捕獲具。
【発明の詳細な説明】
【技術分野】
【０００１】
本発明は、飛翔性昆虫、特にイエバエ、ショウジョウバエ、ノミバエ等の昆虫を捕獲するための粘着シート面を備えた飛翔性昆虫捕獲具に関するものである。
【背景技術】
【０００２】
従来、飛翔性昆虫を捕獲するものとして、特開２００３−７９３０１に、粘着性が付与された長尺状の基体を有するものが示されている。しかしながら、ここで示されたものでは、使用している際に、使用者の手やその他の場所に粘着剤が付着するという問題点があった。また、特開２００２−２５３１０１には、粘着剤を用いた捕獲器型の飛翔性昆虫捕獲具が示されているものの、虫に対して嗜好性を働かせるようなものであり、飛翔性昆虫を捕獲するには充分なものとは言えなかった。
【特許文献１】特開２００３−７９３０１
【特許文献２】特開２００２‐２５３１０１
【発明の開示】
【発明が解決しようとする課題】
【０００３】
本発明は、粘着剤を用いた飛翔性昆虫捕獲具であって、使用に際して、飛翔性昆虫の捕獲性に優れ、また手に粘着剤が付着する心配がなく、使い勝手が良い飛翔性昆虫捕獲具を提供するものである。
【課題を解決するための手段】
【０００４】
本発明者らは、粘着剤を用いた飛翔性捕獲具を種々検討する過程で、開口部を有する側壁面に対向して、粘着剤が塗工されてなる粘着シート面を付設し、かつ、開口部周辺を形成する面の色が特定の明度を有する飛翔性昆虫捕獲具を採用することによって、上記課題を解決できることを知見し、本発明を完成した。
【０００５】
すなわち、本発明は、以下のような構成からなる。
（１）底面と２面以上の側壁面から構成され、その内部に粘着シート面を備える飛翔性昆虫捕獲具において、前記側壁面の少なくとも１面に開口部を設けるとともに、この側壁面に対向して前記粘着シート面を他の側壁面に付設するか、もしくは底面から垂直状に立設してなり、かつ側壁面表側における前記開口部の周辺部の色が標準光源のC光源を用いて視野角１０°で測定するとき、Ｌ*ａ*ｂ*表色系色差のＣＩＥ１９７６明度Ｌ*として７０以下である飛翔性昆虫捕獲具。
（２）粘着シート面が付設された側壁面が、底面と６０度ないし９０度の角度を有して形成されている（１）に記載の飛翔性昆虫捕獲具。
（３）底面と３面の側壁面と上面から構成される縦置き略三角柱状の捕獲具であって、３側壁面のうちの１面又は２面に開口部が設けられており、残余の１側壁面に粘着シート面を付設するとともに、この粘着シート面と開口部を有する側壁面との角度を７５度以内に形成した（１）又は（２）に記載の飛翔性昆虫捕獲具。
（４）底面と２面又は４面の側壁面から構成される横置き略三角柱状の捕獲具であって、２側壁面のうちの１面に開口部が設けられており、残余の１側壁面に粘着シート面を付設するとともに、この粘着シート面と開口部を有する側壁面との角度を７５度以内に形成した（１）又は（２）に記載の飛翔性昆虫捕獲具。
【発明の効果】
【０００６】
本発明の飛翔性昆虫捕獲具は、飛翔性昆虫の捕獲性に優れ、また使用中に粘着剤が手に付着する心配がなく、使い勝手が良いので極めて実用的である。
【発明を実施するための最良の形態】
【０００７】
本発明の飛翔性昆虫捕獲具は、底面と２面以上の側壁面から構成され、その内部に粘着剤が塗布されてなる粘着シート面を備えたもので、この粘着シート面により飛翔性昆虫を捕獲する。前記粘着シート面は開口部が設けられた側壁面に対向しており、通常使用時に底面に対して４５度ないし１３５度の角度を有するように形成されている。なお、この角度は飛翔性昆虫の捕獲性の点で、底面に対して６０度ないし１００度が好ましく、９０度付近であることが更に望ましい。また捕獲性には、開口部を有する側壁面の開口部周辺部の面の色彩が強く関与する。すなわち、開口部周辺を形成する面の色が標準光源のC光源を用いて視野角１０°で測定するとき、Ｌ*ａ*ｂ*表色系色差のＣＩＥ１９７６明度Ｌ*として７０以下であれば、飛翔性昆虫がより強く引き寄せられ、捕獲具内に備えられた粘着シート面上に効率よく捕獲されることが認められた。
【０００８】
本発明の飛翔性昆虫捕獲具の形態としては種々可能であるが、例えば縦置き略三角柱状のものがあげられる。この形態においては、通常３側壁面のうちの１側壁面上に粘着シート面が付設され、残りの２側壁面のいずれか一方または両方に開口部が設けられる。開口部を有する側壁面とこれに対向する粘着シート面の角度は７５度以内に形成されるのが好ましく、両面は、近接していても良いが、距離が離れている場合でも効果を有する。
【０００９】
また、捕獲具は横置きの略三角柱状であってもよく、この場合、三角柱の３側面のうちの１側面が底面を形成し、残りの２側面が側壁面を構成する（三角柱の上面及び底面も側壁面を構成し合計４側壁面の形態も取りうる）。そして、通常、先に述べた２側壁面の一方に開口部が設けられ、他の側壁面に粘着シート面が付設されるが、この開口部を有する面と粘着シート面との角度は７５度以内に形成されるのが好ましい。
なお、横置きの略三角柱状の形態は、基本的に同様な構成であれば、適宜変更されうる。例えば２側壁面の側辺が底面から湾曲しつつ上方に拡がり上辺で接合するスイカ状の形態や、２側壁面が外方に幾分膨らんだドーム状の形態を例示することができる。
【００１０】
更に、本発明の飛翔性昆虫捕獲具は、粘着シート面を底面から垂直状に立設するようにしても構わない。
すなわち、粘着シート面を側壁面に付設するのではなく、底面に粘着シート面支持具を設けて、これに粘着シート面を装着するような形態も採用しうる。この場合、粘着剤は粘着シート面の片面又は両面のいずれに塗工されていてもよい。
【００１１】
開口部周辺の面の色については、標準光源のC光源で視野角１０°で測定するとき、Ｌ*ａ*ｂ*表色系色差値のＣＩＥ１９７６明度Ｌ*が７０以下であることが要求される。ここでいうＬ*ａ*ｂ*表色系色差値とは、国際照明委員会が１９７６年に推奨した知覚的にほぼ均等な歩度をもつ色空間の１つである。さらに、この発明でいう開口部周辺とは、基本的に開口部から１cm以内の部分を示す。なお、その周辺部以外の部分については、色彩の限定は特にない。
【００１２】
Ｌ*ａ*ｂ*表色系色差値のＣＩＥ１９７６明度Ｌ*とは、均等色空間における明度に対する座標であり、一般的にＣＩＥ１９７６明度Ｌ*が０に向かうと黒色に、一方、ＣＩＥ１９７６明度Ｌ*が１００に向かうと白色になることを示す。このＣＩＥ１９７６明度Ｌ*における色空間の中では、色が黒色に近い方向に向かうと飛翔性昆虫を強く誘引し、７０以下である場合にその傾向が顕著に見られた。なお、本発明におけるＬ*ａ*ｂ*表色系色差値のＣＩＥ１９７６明度Ｌ*および色相・彩度を表す色座標ａ*ｂ*の測定方法としては、色彩色差計であるＣＲ−４００（コニカミノルタ株式会社製）やＸ−Ｒｉｔｅ９３９（日本平版機材株式会社製）など種々の機器を用いて測定することが可能である。
【００１３】
さらに、これら各種の虫の色に対する嗜好性を確認していく過程で、標準光源のC光源で視野角１０°で同様に測定されるＬ*ａ*ｂ*表色系色差値の色相・彩度を表す色座標であるａ*およびｂ*について詳細に調査した。ここで示されているＬ*ａ*ｂ*表色系色差値のうち色相・彩度を表す色座標であるａ*のプラス方向は赤色を、一方マイナス方向は緑色を示している。また、ｂ*のプラス方向は黄色を、マイナス方向については青色を示している。この間の数値ではそれらの色の中間的な色を示すこととなり、全体ですべての色の色相を示すものである。これらの色相の中では、好ましくは、ｂ*が−３０以上である。この場合には、全体から、青方向の色のものを除いたものとなる。さらに最も好ましくはｂ*が−３０以上であり、かつａ*が−３０以上の場合である。この場合の色相は、緑色を除き、黄色〜赤色又は灰色およびその中間色を示すこととなる。
【００１４】
本発明の飛翔性昆虫捕獲具で使用される材質等については、何ら限定されず各種の材料を使用することが出来る。例えば、紙製、プラスチック製、金属製などの材料が挙げられるが、特に、紙製のものは、安価な上に加工がし易く、特に適している。紙製ではコートボール紙、マニラ紙など各種の材質を用いることが出来る。
【００１５】
また、本発明で使用される粘着シート面については各種の粘着剤を塗工した粘着シート面を用いることが出来る。シート基剤としては、紙、フィルム等種々の材料を使用可能であり、粘着剤も特に限定されず、一般的に用いられているゴム系粘着剤、アクリル系粘着剤、シリコーン系粘着剤などの種々の粘着剤を用いることが出来る。ゴム系粘着剤には、天然ゴム系粘着剤、スチレン・ブタジエンゴム系粘着剤、再生ゴム系粘着剤、ポリイソブチレン、ブチルゴム系粘着剤、ブロックコポリマー系粘着剤などが含まれる。これらの粘着剤には、必要に応じて軟化剤、老化防止剤、架橋剤等の材料を添加する事ができ、更にこれらの粘着剤は粘着シート基剤の片面のみに塗工しても良いし、両面に塗工し使用することも出来る。
【００１６】
本発明の飛翔性昆虫捕獲具は、飛翔性昆虫の捕獲性をより一層アップするために、各種の誘引剤等を用いることも出来る。誘引剤は、容器の内部に設置してもよいし、必要に応じて容器の外部に設置することも出来る。また誘引剤の種類としては、通常入手できるものを適宜採用でき、例えば、粉末に各種の誘引液剤を含浸したもの、他に各種食品類のパウダー類を例示できる。これらは、パウダーのまま用いても、場合によっては、フィルム等の包装を施してもよく、その使用方法は何ら限定されるものではない。
【００１７】
こうして得られた本発明の飛翔性昆虫捕獲具が対象とする飛翔性昆虫としては、例えばノミバエ、ショウジョウバエ、イエバエ、クロバエ、キンバエ、ハヤトビバエ、ニクバエ、コバエなどのハエ類を挙げることができる。
【００１８】
以下に本発明の実施の形態を図面を参照し、説明する。
【実施例１】
【００１９】
図１は本発明の飛翔性昆虫捕獲具の一実施例の斜視図を示し、図２は図１の水平方向断面の上面図である。
縦置きの略三角柱状の飛翔性昆虫捕獲具（１）は、底面（２）［三辺の長さ：６，７，７ｃｍ］と３面の側壁面（３）［高さ：１２ｃｍ］と上面（４）から構成され、側壁面（３）の１面には開口部（５）［２×５ｃｍ］が設けられている。そして、他の側壁面（３）の内側には、粘着剤を塗工してなる粘着シート面（６）［幅：５，高さ：１１ｃｍ］が貼設されている。
なお、本実施例における粘着シート面（６）と底面（２）の角度は９０度で、粘着シート面（６）と開口部（５）を有する側壁面（３）との角度は６５度であった。また、開口部（５）の周辺のＣＩＥ１９７６明度Ｌ*は５９であった。
【００２０】
図１及び図２で示した本発明の飛翔性昆虫捕獲具１をベランダで台の上に置いて使用したところ、開口部（５）から侵入したノミバエ、ショウジョウバエ等の飛翔性昆虫は、内部に付設された粘着シート面（６）に虫体ごと、しかも効率よく捕獲された。そして、捕獲された飛翔性昆虫は粘着シート面（６）から容易に逃げることが出来ず、捕獲は完全であった。また、本捕獲具（１）は、通常の使用において、内部に手が入ることがなく、従って粘着剤等が手に付着する危惧を有さないので、使用性の点でもすぐれていた。
【００２１】
なお、本捕獲具（１）は、側壁面（３）の表面の一部に固定手段を設けて、例えば壁などに固定させて使用したり、糸などで吊るした状態で使用することもでき、極めて利便性に優れたものであった。
本実施例では、粘着シート面（６）を側壁面（３）の内側に貼設したが、貼設せずに着脱可能に装着する構成を採用することもできる。かかる構成によれば、内部から粘着シート面（６）を取り出し、新たな粘着シート面（６）を装着することにより再使用でき、経済的である。
【実施例２】
【００２２】
図３は、本発明の飛翔性昆虫捕獲具の他の実施例の斜視図を示し、図４は図３の垂直方向断面の側面図である。
横置きの略三角柱状（スイカ状）の飛翔性昆虫捕獲具（１）は、底面（２）［縦：５，横：７ｃｍ］と、２面の側壁面（３）［上辺の長さ：１２ｃｍ］から構成されている。２面の側壁面（３）は、その側辺が底面から湾曲しつつ上方に拡がって上辺で接合し、各側壁面（３）には開口部（５）［外径約３ｃｍの円形：３個］が設けられている。
更に、底面（２）の中央部に粘着シート面支持具（７）が取り付けられており、これに粘着シート面（６）を装着して、粘着シート面（６）が垂直状に立設された構成を採用している。なお、本実施例における粘着シート面（６）と底面（２）との角度は９０度で、粘着シート面（６）と開口部を有する側壁面（３）との角度は３０度であった。また、開口部（５）の周辺のＣＩＥ１９７６明度Ｌ*は５０であった。
【００２３】
図３及び図４で示した本発明の飛翔性昆虫捕獲具は、実施例１と同様に開口部（５）から侵入したノミバエ、ショウジョウバエ等の飛翔性昆虫を効率よく捕獲でき、スイカ形状のデザイン性とも併せて使用性の点でも優れていた。
【実施例３】
【００２４】
実施例１及び実施例２に準じて、試験例に示す飛翔性昆虫捕獲具を作製した。１．８ｍ×１．８m×１．８mのチャンバー内の中央に捕獲具を置き、オオキモンノミバエ約１００匹を放ち、２４時間後に捕獲具の粘着シート面上に捕獲されたオオキモンノミバエの数を数えた。試験は3回繰り返してその平均捕獲数で評価した。なお、比較例のサンプルも作製し、同様に試験を実施した。
なお、捕獲性能評価は以下の基準によった。
◎；  ３１匹以上、  ○；１１〜３０匹、  △；６〜１０匹、  ×；０〜５匹
【００２５】
2005245279.tif 000003
【００２６】
試験の結果、本発明の飛翔性昆虫捕獲具は、捕獲性能が高く十分な効力が得られた。また、粘着シート面が捕獲具内部に備えられているので粘着シート面に手が触れることがなく、使用性の点でも優れていた。
これに対して、比較例の飛翔性昆虫捕獲具は、いずれも捕獲性能が低く実用性が認められなかった。
【図面の簡単な説明】
【００２７】
【図１】本発明の飛翔性昆虫捕獲具の一実施例の斜視図である。
【図２】図１の水平方向断面の上面図である。
【図３】本発明の飛翔性昆虫捕獲具の他の実施例の斜視図である。
【図４】図３の垂直方向断面の側面図である。
【符号の説明】
【００２８】
１：飛翔性昆虫捕獲具
２：底面
３：側壁面
４．上面
５．開口部
６．粘着シート面
７．粘着シート面支持具
【図４】
2005245279.tif 000004
【図１】
2005245279.tif 000005
【図２】
2005245279.tif 000006
【図３】
2005245279.tif 000007